(57)【要約】【課題】視点数が多い多視点画像を用いて立体印刷用の画像を生成する場合において、被写体の撮影から適正な画像が得られるまでの一連の操作が簡易に行えるようにする。【解決手段】立体画像処理装置１は、撮影装置４の移動を制御する移動制御部１１ａと、撮影装置４が高速連写を行うように制御する撮影制御部１１ｂと、自動で奥行位置、サイズを求めるインタレース画像生成処理部１１ｄと、立体画像をインタレース画像として表示させる表示制御部１１ｅと、立体画像の確認を求める確認処理部１１ｆと、立体画像の印刷物を生成させる立体画像印刷制御部１１ｈとを有する。【選択図】図１
2020030326.tif 000002
【特許請求の範囲】
【請求項１】
高速連写が行える撮影装置によって撮影された多視点画像を用いた立体印刷用の立体画像を生成させる立体画像処理装置であって、
前記撮影装置を移動させる直線状軌道部を備えた移動装置を作動させて該直線状軌道部によって前記撮影装置が移動するように制御する移動制御部と、
前記撮影装置が該直線状軌道部によって移動しているときに前記撮影装置が前記高速連写を行うように制御する撮影制御部と、
前記撮影装置の前記高速連写によって得られる多視点画像データを記憶する多視点画像データ記憶部と、
該多視点画像データ記憶部に記憶されている前記多視点画像データを用いて前記立体画像を生成するためのインタレース画像生成処理を行うインタレース画像生成処理部と、
レンチキュラーレンズまたはパララックスバリアが表示部に装着されるインタレース画像表示装置の該表示部に、前記インタレース画像生成処理部によって生成された前記立体画像を表示させる表示制御部とを有し、
前記立体画像の奥行位置、奥行サイズを自動で計算し、決定することを特徴とする立体画像処理装置。
【請求項２】
複数の小型撮影装置によって撮影された多視点画像を用いた立体印刷用の立体画像を生成させる立体画像処理装置であって、
前記複数の小型撮影装置が同時に撮影動作を行うように制御する撮影制御部と、
該撮影制御部の制御にしたがい各前記小型撮影装置によって得られる複数の画像データを直線状に配置されている各前記小型撮影装置の順序に関連付けて記憶する多視点画像データ記憶部と、
該多視点画像データ記憶部に記憶されている前記複数の画像データを用いて前記立体画像を生成するためのインタレース画像生成処理を行うインタレース画像生成処理部と、
レンチキュラーレンズまたはパララックスバリアが表示部に装着されるインタレース画像表示装置の該表示部に、前記インタレース画像生成処理部によって生成された前記立体画像を表示させる表示制御部とを有し、
前記立体画像の奥行位置、奥行サイズを自動で計算し、決定することを特徴とする立体画像処理装置。
【発明の詳細な説明】
【技術分野】
【０００１】
本発明は、被写体を複数の視点からみた多視点画像を用いた立体画像の印刷物の生成に用いられる立体画像処理装置に関する。
【背景技術】
【０００２】
従来、立体画像の生成、表示に関するデータ処理を行う立体画像処理装置が知られている。例えば、特許文献１には、立体画像処理装置の一例として、視点の異なるユーザの操作を反映した立体画像をパララックスバリア方式によってディスプレイに表示させるタブレット装置が開示されている。また、特許文献２には、元の映像の奥行情報から三次元表示用の画像を生成する技術が開示されている。
【先行技術文献】
【特許文献】
【０００３】
【特許文献１】特開２０１３−１６８１２０号公報
【特許文献２】特開平８−３３１６０７号公報
【特許文献３】特開２００９−０５９１１３号公報
【特許文献４】特開２０１６−５９０２９号公報
【特許文献５】特開２００１−３４６２２６号公報
【発明の概要】
【発明が解決しようとする課題】
【０００４】
一般に立体画像の生成、表示には、被写体を複数の視点からみた多視点画像が用いられる。従来、多視点画像が撮影されるとき、複数のカメラ（撮影装置）が用いられることもあるが（例えば、特許文献３参照）、撮影機材の点数を少なくするには、１台のカメラ（撮影装置）で撮影が行われること（例えば、特許文献４参照）が望ましい。
【０００５】
しかし、１台のカメラで多視点画像を生成するには、手動等によってカメラを移動させる必要があり、シャッターを切るシャッター操作を繰り返し行う必要もある。また、立体画像の印刷物（平面上の画像が立体的に視認できるようにした印刷物）の場合、平面画像の印刷物と違って、とりわけ印刷物の立体感が適正かどうかが重要であるが、それを確認するには、レンチキュラーレンズを有するシート（レンチキュラーシートともいう）の裏面に印刷するなどして印刷物を生成しなければならなかった。しかも、立体感が適正でなければ、視差量を調整するためのデータ処理をやり直したり、撮影をやり直してから再び印刷物を生成する必要があり、それ故、撮影から確認、印刷までが繰り返されることが想定される。
【０００６】
一方、特許文献５には、多視点画像が得られるアダプタを装着したカメラを用いた立体写真プリントシステムが提案されている。
【０００７】
しかし、そのシステムでは、左眼用の画像と右眼用の画像しか用いられないため、その２つの画像から得られる視差量が決まってしまい、それ故、立体感の調整に適さないという課題があった。この点、特許文献３には、視点数を１４程度にまで増やした立体画像生成装置が開示されている。
【０００８】
しかし、かかる立体画像生成装置は、印刷用の立体画像を生成するにあたって、被写体等の合成対象画像を背景画像に合成しており、それ故、その背景画像の各部位についての奥行情報をあらかじめ算出して記憶手段に保持しておかねばならない。また、背景画像に合成対象画像や小道具の画像を配置して合成するため、合成対象画像や小道具の配置位置に応じた奥行情報を記憶手段から読み出すなどして合成処理を行わねばならない。そのため、合成対象画像や小道具の配置場所が変わったり、別の画像が加わったりするたびに合成処理等のデータ処理が繰り返されるため、システムの規模が大きくなりがちで処理にも時間がかかる。視点数が増えればさらに処理に時間がかかることとなる。
【０００９】
このように、従来技術では、視点数が多い多視点画像を用いて立体印刷用の画像を生成する場合において、被写体の撮影から適正な画像が得られるまでに多くの手間と時間を要するという課題があった。この点は、複数のカメラで被写体が撮影される場合も同様であった。
【００１０】
本発明は、上記課題を解決するためになされたもので、視点数が多い多視点画像を用いて立体印刷物用の画像を生成する場合において、被写体の撮影から適正な画像が得られるまでの一連の操作が簡易に行える立体画像処理装置を提供することを目的とする。
【課題を解決するための手段】
【００１１】
上記課題を解決するため、本発明は、高速連写が行える撮影装置によって撮影された多視点画像を用いた立体印刷用の立体画像を生成させる立体画像処理装置であって、撮影装置を移動させる直線状軌道部を備えた移動装置を作動させてその直線状軌道部によって撮影装置が移動するように制御する移動制御部と、撮影装置がその直線状軌道部によって移動しているときに撮影装置が高速連写を行うように制御する撮影制御部と、撮影装置の高速連写によって得られる多視点画像データを記憶する多視点画像データ記憶部と、その多視点画像データ記憶部に記憶されている多視点画像データを用いて立体画像を生成するためのインタレース画像生成処理を行うインタレース画像生成処理部と、レンチキュラーレンズまたはパララックスバリアが表示部に装着されるインタレース画像表示装置のその表示部に、インタレース画像生成処理部によって生成された立体画像を表示させる表示制御部とを有し、立体画像の奥行位置、奥行サイズを自動で計算し、決定する立体画像処理装置を特徴とする。
【００１２】
また、本発明は、複数の小型撮影装置によって撮影された多視点画像を用いた立体印刷用の立体画像を生成させる立体画像処理装置であって、複数の小型撮影装置が同時に撮影動作を行うように制御する撮影制御部と、その撮影制御部の制御にしたがい各小型撮影装置によって得られる複数の画像データを直線状に配置されている各小型撮影装置の順序に関連付けて記憶する多視点画像データ記憶部と、その多視点画像データ記憶部に記憶されている複数の画像データを用いて立体画像を生成するためのインタレース画像生成処理を行うインタレース画像生成処理部と、レンチキュラーレンズまたはパララックスバリアが表示部に装着されるインタレース画像表示装置のその表示部に、インタレース画像生成処理部によって生成された立体画像を表示させる表示制御部とを有し、立体画像の奥行位置、奥行サイズを自動で計算し、決定する立体画像処理装置を提供する。
【発明の効果】
【００１３】
以上詳述したように、本発明によれば、立体画像処理装置において、視点数が多い多視点画像を用いて立体印刷用の画像を生成する場合において、被写体の撮影から適正な画像が得られるまでの一連の操作が簡易に行える。
【図面の簡単な説明】
【００１４】
【図１】本発明の実施の形態に係る立体画像処理装置を有する立体画像処理システムの構成の一例を示す図である。
【図２】立体画像処理システムにおける撮影装置（カメラ）および移動装置の構成の一例および立体画像処理装置を示した図である。
【図３】立体画像処理装置の構成を示したブロック図である。
【図４】立体画像処理装置における立体画像処理の動作手順を示したフローチャートである。
【図５】変形例に係る立体画像処理装置の構成を示したブロック図である。
【図６】立体画像処理装置の表示装置に表示される変更後サイズ指定画面の一例を示した図である。
【図７】変形例に係る小型撮影装置および台座部の構成の一例および立体画像処理装置を示した図である。
【発明を実施するための形態】
【００１５】
以下、本発明の実施の形態について図面を参照しつつ説明する。なお、同一要素には同一符号を用い、重複する説明は省略する。
【００１６】
まず、図１から図３を参照して、本発明の実施の形態に係る立体画像処理装置について説明する。
【００１７】
（立体画像処理装置および立体画像処理システムの構成）
図１は、本発明の実施の形態に係る立体画像処理装置１を有する立体画像処理システム１００の構成の一例を示す図である。図２は、立体画像処理システム１００における撮影装置４および移動装置５の構成の一例および立体画像処理装置１を示した図である。図３は、立体画像処理装置１の構成を示したブロック図である。立体画像処理システム１００は、立体画像処理装置１と、タブレット端末装置２と、立体画像印刷装置３と、撮影装置４および移動装置５とを有している。
【００１８】
立体画像処理装置１は、持ち運び可能なノート型のパーソナルコンピュータで構成されている。立体画像処理装置１は、据え置き型のコンピュータで構成することもできる。
【００１９】
立体画像処理装置１は、図３に示すように、制御処理部１１、操作入力部１２、多視点画像データ記憶部１３、入出力Ｉ／Ｆ１４および液晶表示装置１５を有していて、これらはバス１６によって接続されている。
【００２０】
制御処理部１１は、立体画像処理装置１の動作制御をつかさどる部分であって、少なくともＣＰＵ、ＲＯＭ、ＲＡＭ、ハーディスク装置またはＳＳＤで構成されるデータ記憶部を有している。そして、ＣＰＵがＲＯＭ、ＲＡＭまたはデータ記憶部にアクセスしながらこれらに記憶されているプログラムにしたがい作動して、図３に示した移動制御部１１ａから立体画像印刷制御部１１ｈまでの各部としての機能を実現する。
【００２１】
移動制御部１１ａは、移動装置５の後述する直線状軌道部７を作動させて直線状軌道部７によって撮影装置４が一定の方向にスライド移動するように制御する。撮影制御部１１ｂは、撮影装置４が直線状軌道部７によって移動しているときに撮影装置４が高速連写を行うように制御する。画像データ記憶制御部１１ｃは、撮影装置４の高速連写によって得られる被写体の多視点画像データを多視点画像データ記憶部１３に記憶させる。インタレース画像生成処理部１１ｄは、多視点画像データ記憶部１３に記憶されている多視点画像データを用いてインタレース画像生成処理を行い、立体的に視認し得る画像（立体画像ともいう）の生成に用いられる画像データ（立体画像データ）を生成する。
【００２２】
表示制御部１１ｅは、インタレース画像生成処理部１１ｄによって生成された立体画像データをタブレット端末装置２に出力するなどして、その表示部２ｂに立体画像をインタレース画像（後述するレンチキュラーレンズ２ａまたはパララックスバリアを用いることで立体的に視認できる画像）として表示させる。確認処理部１１ｆは、表示された立体画像に対する何らかのアクションがあったか否かの確認を求める確認処理を実行する。奥行算出処理部１１ｇは、多視点画像データ記憶部１３に記憶されている多視点画像のペア画像データを用いて、立体画像に含まれる被写体の奥行を算出する。立体画像印刷制御部１１ｈは、インタレース画像の印刷物生成に必要なデータを立体画像印刷装置３に出力するなどして立体画像の印刷物を生成させる。
【００２３】
操作入力部１２は、立体画像処理装置１へのデータ、指示コマンド等の入力に用いられる手段であって、例えば、キーボード、マウスを用いることができる。多視点画像データ記憶部１３には多視点画像データが記憶される。入出力Ｉ／Ｆ１４は、タブレット端末装置２、立体画像印刷装置３、撮影装置４および移動装置５との間でのデータの受け渡しを実行する部分で、例えばＵＳＢ（Universal serial bus）にしたがった機器で構成されている。液晶表示装置１５は立体画像処理装置１の動作を制御する指示入力画面、例えば、後述するサイズ変更指示画面２５などが表示され、その表面にタッチパネル１５ａが設けられている。
【００２４】
タブレット端末装置２は、表示部２ｂと図示しない制御部、データ記憶部を備えていて、表示部２ｂにレンチキュラーレンズ２ａ（またはパララックスバリア）が装着されている。本実施の形態において、レンチキュラーレンズ２ａ（またはパララックスバリア）は表示部２ｂに固着されているが、表示部２ｂに着脱自在にしてもよい。
【００２５】
立体画像印刷装置３は、立体画像処理装置１から出力される立体画像の画像データを用いて立体画像の印刷物を生成するプリンターである。例えば、印刷装置３はインクジェットプリンター、昇華型プリンターとすることができる。
【００２６】
撮影装置４は、有効画素数が１２００万程度の高解像度画像を６０枚／秒で最大６０枚の高速連写で撮影する高速連写カメラである。撮影装置４は、シャッタースピードが極めて高速故、高速連写が行えるので、移動装置５による移動中でもブレのない撮影が可能である。撮影装置４は図示しないケーブルを介して立体画像処理装置１（入出力Ｉ／Ｆ１４を介して）に接続されている。撮影装置４、移動装置５、立体画像処理装置１は無線通信を介して接続されていてもよい。なお、本実施の形態において、高速連写とは、少なくとも３０枚／秒での連続撮影が行えることを意味している。
【００２７】
移動装置５は、図２に示すように、台座部６と直線状軌道部７とを有している。台座部６は、直線状台座部６ａと脚部６ｂとを有している。直線状台座部６ａは、直線状軌道部７を支持する板状の部材であって、概ね１メートル程度の長さを有している。脚部６ｂは直線状台座部６ａを支持する部材であって、長さ（高さ）調節が可能であり、例えば三脚を用いることができる。直線状軌道部７は例えばスライダ７ａが直線移動を繰り返す高速電動アクチュエーターとすることができる。直線状軌道部７はケーブル１７によって立体画像処理装置１に接続されている。そのスライダ７ａは、撮影装置４による高速連写期間（所望数の画像が得られるように、撮影装置４が高速連写を行う期間で、本実施の形態では１秒間）に、撮影開始位置ＳＰと撮影終了位置ＥＰとの間（１メール間隔）をスライド移動する高速スライド移動が実現される。なお、図２とは異なり、直線状台座部６ａを省いて脚部６ｂに直線状軌道部７を固定してもよい。
【００２８】
続いて以上の構成を有する立体画像処理装置１による動作制御の手順について、図４を参照して説明する。図４は、立体画像処理装置１による立体画像処理の動作手順の一例を示したフローチャートである。立体画像処理装置１は、制御処理部１１のデータ記憶部に記憶されている立体画像処理プログラムにそって立体画像処理を実行する。
【００２９】
立体画像処理装置１は、立体画像処理を開始するとステップ１に処理を進めてカメラの移動指示を行う。この場合、立体画像処理装置１では、移動制御部１１ａが作動して、直線状軌道部７に動作開始の指示データを出力して直線状軌道部７を作動させる。すると、直線状軌道部７のスライダ７ａが始動点に移動して、終了点に向かって直線状にスライド移動して一定速度になるまで加速し始める。そのため、撮影装置４も直線状にスライド移動し始める。
【００３０】
続いて立体画像処理装置１ではステップ２に処理が進み、撮影装置４が一定速度に到達し、撮影開始位置ＳＰを通過したときにステップ３に処理が進む。ステップ３では、撮影制御部１１ｂが作動して、撮影装置４に撮影スタートの指示データを出力してシャッターをオンにさせる。撮影装置４は、シャッターオンの状態で撮影する（シャッターをきる）ため、撮影制御部１１ｂは、撮影開始位置ＳＰから撮影終了位置ＥＰまでの間（概ね１秒間）、シャッターオンの状態を継続させる制御データを出力する等して撮影装置４が高速連写を行うように制御する。このとき、撮影装置４は、撮影開始位置ＳＰから撮影終了位置ＥＰに移動するまでの間に被写体を６０枚撮影する。撮影装置４は、撮影終了位置ＥＰを通過すると停止するまで減速する。
【００３１】
続いて、立体画像処理装置１はステップ４に処理を進めて、撮影装置４から被写体の多視点画像データを入力して、それを多視点画像データ記憶部１３に記憶させる。続くステップ５では、インタレース画像生成処理部１１ｄが作動して、多視点画像データ記憶部１３に記憶されている多視点画像データを用いてインタレース画像生成処理を実行する。この場合、立体画像処理装置１は、多視点画像データを表示サイズ、奥行位置、奥行サイズ、表示レンズピッチ、表示画素ピッチに合わせて計算し、インタレース状に並べて１つのインタレース画像データを生成する。
【００３２】
そして、ステップ６に処理が進むと表示制御部１１ｅが作動して、ステップ５で生成されたインタレース画像データを立体画像としてタブレット端末装置２に表示させる。続くステップ７では、確認処理部１１ｆが作動して、表示された立体画像に対する何らかのアクションがあったか否かの確認を行い、アクションがあるまで待機する。続くステップ８では、操作者が画像が適正であったと判断した場合のアクションがあれば処理がステップ１０に進み、適正でなかった場合のアクションがあればステップ９に進む。
【００３３】
ステップ１０に処理が進むと、立体画像印刷制御部１１ｈが作動して、インタレース画像データを立体画像印刷装置３に出力し、レンチキュラーレンズの裏面に印刷するなどして立体画像の印刷物を印刷装置３に生成させる。その後、立体画像処理が終了する。
【００３４】
一方、ステップ９に処理が進むと、パラメータ変更の指示がなかったときは処理をステップ１１に進め、パラメータ変更の指示があったときは処理をステップ５に戻してインタレース画像生成処理を行う。ステップ１１では、再撮影の指示がされた場合、処理をステップ１に処理を戻して撮影のやり直しを行うが、再撮影の指示が無ければステップ７に処理が戻る。
【００３５】
以上のように、立体画像処理装置１は、移動制御部１１ａと撮影制御部１１ｂを有し、これらの動作によって、直線状軌道部７の動作によって撮影装置４が移動しているときに撮影装置４を活用した高速連写を行え、それによって得られた多視点画像データを多視点画像データ記憶部１３に記憶させることができる。そのため、立体画像処理装置１によれば、多視点画像を生成するにあたり、手動等によってカメラを移動させる必要はなく、移動の途中でシャッター操作を行う必要もない。また、撮影が概ね１秒間という極めて短時間で行われるため、被写体（例えば人物）が撮影中の静止を求められる時間がごく短時間で済み、その分、被写体の負担が軽くなる。その概ね１秒間というごく短時間でありながら秒間６０ショットの撮影が行われるため、多数の多視点画像データが生成され、それ故、視差量を調整できる範囲が広く、立体感の調整に適している。
【００３６】
また、立体画像処理装置１では、得られた多視点画像データ記憶部１３の多視点画像データを用いて自動的に奥行パラメータを推定し、インタレース画像生成処理が行われ、その後、立体画像印刷装置３による印刷物生成の前に、インタレース画像をタブレット端末装置２に表示させて、インタレース画像の確認を求めている。タブレット端末装置２では、レンチキュラーレンズ２ａが表示部２ｂに装着されているため、その表示部２ｂを視認することで、印刷物を実際に生成するまでもなく被写体の写り具合や構図などに加え、印刷物の立体感が適正かどうかも確認できる。そのため、ユーザが印刷物の仕上がり状態を明確にイメージし、それを確認してから印刷物が生成される。
【００３７】
そして、もし、被写体の写り具合や構図などに問題はないものの、立体感が適正でないといった場合には、手動で奥行パラメータを指定することで新たなインタレース画像がタブレット端末装置２に表示される。そのため、印刷前生成の前にあらかじめ奥行を調整することが可能性であり、その奥行調整された後の立体感も、印刷物を得るまでもなく事前に確認できる。
【００３８】
以上のように、立体画像処理装置１は、点数が多い多視点画像を用いて立体画像の印刷物を生成する場合において、多視点画像の撮影から適正な印刷物が得られるまでの一連の操作が簡易に行えるようになっている。
【００３９】
（変形例）
続いて、変形例に係る立体画像処理装置３１について、図５，７を参照して説明する。図５は、変形例に係る立体画像処理装置３１の構成を示したブロック図、図７は、変形例に係る撮影装置４０および台座部６の構成の一例および立体画像処理装置３１を示した図である。
【００４０】
立体画像処理装置３１は、立体画像処理装置１と比較して、移動制御部１１ａを有していない点と、撮影制御部１１ｂ、画像データ記憶制御部１１ｃの代わりにそれぞれ撮影制御部１１ｂｍ、画像データ記憶制御部１１ｃｍを有している点とで相違している。
【００４１】
撮影制御部１１ｂｍは、撮影装置４０を構成する後述する小型撮影装置４０１，４０２〜４０５０によって同時多数撮影を行うように制御する。画像データ記憶制御部１１ｃｍは、各小型撮影装置４０１，４０２〜４０５０によって撮影されたそれぞれの画像データを多視点画像データとして、各小型撮影装置４０１，４０２〜４０５０の台座部６上に配置されている順序に関連付けて多視点画像データ記憶部１３に記憶させる。
【００４２】
撮影装置４０は、複数（本実施の形態では、５０台、少なくとも３０台）の小型撮影装置４０１，４０２〜４０５０を有している。各小型撮影装置４０１，４０２〜４０５０はボードカメラとも呼ばれる小型カメラであり、基板上にレンズやＣＭＯＳイメージセンサ等が備えられた撮影装置であって、ケーブル１８を介して立体画像処理装置３１の入出力Ｉ／Ｆ１４に接続され、立体画像処理装置３１の制御にしたがい作動する。撮影装置４０、立体画像処理装置３１は無線通信を介して接続されていてもよい。
【００４３】
そして、立体画像処理装置３１では、撮影制御部１１ｂｍが作動すると、各小型撮影装置４０１，４０２〜４０５０に同時に指示データを出力してシャッターを同時にオンにさせ、同時に撮影動作を行わせる。各小型撮影装置４０１，４０２〜４０５０から、同時に撮影されたが、視点位置が異なる画像データが出力される。そして、画像データ記憶制御部１１ｃｍが各小型撮影装置４０１，４０２〜４０５０から出力される画像データをそれぞれの台座部６上に配置されている順序に関連付けて（例えば、配置順に関連付けたファイル名を付与するなど）多視点画像データ記憶部１３に記憶させる。多視点画像データ記憶部１３は、各小型撮影装置４０１，４０２〜４０５０から出力される各画像データをそれぞれの台座部６上に配置されている順序に関連付けて記憶する。
【００４４】
以上のような立体画像処理装置３１でも、撮影制御部１１ｂｍを有し、その制御によって、小型撮影装置４０１，４０２〜４０５０から出力されるそれぞれの画像データを多視点画像データとして多視点画像データ記憶部１３に記憶させることができるから、手動等によってカメラを移動させる必要がなく、移動の途中でシャッター操作を行う必要もない。また、立体画像処理装置１の場合同様、撮影が概ね１秒間という極めて短時間で行われるため、被写体の負担が軽く済むし、５０枚の画像が用いられるため、視差量の調整が行われる範囲が広く、立体感の調整に適している。そのほか、立体画像処理装置１と同様の作用効果を奏するものである。
【００４５】
奥行位置推定は、中央の小領域についてのみ奥行位置を変えてインタレース画像生成処理を行い、生成した画像のコントラストを評価する事により可能である。奥行サイズ推定は4つ角と上下左右の端の８か所について、小領域を選び奥行位置を変えてインタレース画像生成処理を行い、中央の小領域の結果と比較して評価することにより求める事が可能である。
【００４６】
以上の説明は、本発明の実施の形態についての説明であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【産業上の利用可能性】
【００４７】
本発明を適用することにより、視点数が多い多視点画像を用いた立体印刷用の画像を生成する場合について、被写体の撮影から適正な画像が得られるまでの一連の操作が簡易に行われる。本発明は、立体画像処理装置の分野で利用することができる。
【符号の説明】
【００４８】
１，３１…立体画像処理装置、２…タブレット端末装置、３…立体画像印刷装置、４，４０…撮影装置、５…移動装置、７…直線状軌道部、１１…制御処理部、１１ａ…移動制御部、１１ｂ，１１ｂｍ…撮影制御部、１１ｃ，１１ｃｍ…画像データ記憶制御部、１１ｄ…インタレース画像生成処理部、１１ｅ…表示制御部、１１ｆ…確認処理部、１１ｇ…奥行算出処理部、１１ｈ…立体画像印刷制御部、１３…多視点画像データ記憶部。
【図１】
2020030326.tif 000003
【図２】
2020030326.tif 000004
【図３】
2020030326.tif 000005
【図４】
2020030326.tif 000006
【図５】
2020030326.tif 000007
【図６】
2020030326.tif 000008
【図７】
2020030326.tif 000009